(57)【要約】【課題】組み付け作業性に優れ、製造コストを低く抑えることが可能な指針を提供する。【解決手段】指示部８および基部９を有する指針本体１０と、基部９が収納され後面側が開口された指針キャップ１１と、この指針キャップ１１内に収納されるバランサー１２，１２Ａと、指針キャップ１１内の開口側に配置され基部９およびバランサー１２，１２Ａを指針キャップ１１内に固定する指針台座１３とを備えた指針４において、指針台座１３を指針キャップ１１の開口側に配置した際、傾斜部３４がバランサー１２，１２Ａの下端辺に当接してバランサー１２，１２Ａを指針キャップ１１の周壁２０側に押圧する押圧リブ３２を指針台座１３に設ける。【選択図】図１
2008232901.tif 000002
【特許請求の範囲】
【請求項１】
指示部および基部を有する指針本体と、前記基部が収納され後面側が開口された指針キャップと、前記指示部とは反対側の前記指針キャップ内に収納されるバランサーと、前記指針キャップ内の開口側に配置され前記基部および前記バランサーを前記指針キャップ内に固定する指針台座とを備えた指針において、前記指針台座を前記指針キャップの開口側に配置した際、傾斜部が前記バランサーの下端辺に当接して前記バランサーを前記指針キャップの周壁側に押圧する押圧リブを前記指針台座に設けたことを特徴とする指針。
【請求項２】
前記指針台座が前記指示部側へ移動するのを規制する位置規制手段を設けたことを特徴とする請求項１に記載の指針。
【請求項３】
指示部および基部を有する指針本体と、前記基部が収納され後面側が開口された指針キャップと、前記指示部とは反対側の前記指針キャップ内に収納されるバランサーとを備えた指針において、前記基部を前記指針キャップ内に収納した際、傾斜部が前記バランサーの下端辺に当接して前記バランサーを前記指針キャップの周壁側に押圧する押圧リブを前記基部に設けたことを特徴とする指針。
【請求項４】
前記基部が前記指示部側へ移動するのを規制する位置規制手段を設けたことを特徴とする請求項３に記載の指針。
【請求項５】
前記バランサーは複数個重ねられたものであることを特徴とする請求項１から請求項４の何れかに記載の指針。
【発明の詳細な説明】
【技術分野】
【０００１】
本発明は、例えば車両用の計器に用いられる指針に関するものである。
【背景技術】
【０００２】
車両用の計器に用いられる指針として、例えば特開２００２−１０７１８４号公報がある。この指針は、表示板５の表示部１４を指し示す指示部（指針４）と、基部９と、指示部および基部９と一体形成され、計器本体２の回転軸３に圧入される指針軸８と、基部９周囲を覆う指針キャップ１０と、バランサー１２を備えている。
【特許文献１】特開２００２−１０７１８４号公報
【発明の開示】
【発明が解決しようとする課題】
【０００３】
上述した様な指針に於いて、特にバランサー１２を指針キャップ１０に組み付ける際は、特許文献１の図１に示されている様に、指針キャップ１０に設けたリブと指針キャップ１０の周壁との間にバランサー１２を挿入して接着剤を用いてバランサー１２を指針キャップ１０に固定している。或いはバランサーに丸孔を設け、この丸孔に指針キャップに設けた丸ボスを挿通して突出した丸ボスの先端箇所を溶着することでバランサーを指針キャップに固定している。しかしながら、この様な構成の指針は、接着や溶着が必要で組み付け作業性が劣り、コスト高となってしまう。
【０００４】
本発明はこの様な点に鑑みなされたもので、組み付け作業性に優れ、製造コストを低く抑えることが可能な指針を提供することを目的とする。
【課題を解決するための手段】
【０００５】
本発明は前記目的を達成するため、指示部および基部を有する指針本体と、前記基部が収納され後面側が開口された指針キャップと、前記指示部とは反対側の前記指針キャップ内に収納されるバランサーと、前記指針キャップ内の開口側に配置され前記基部および前記バランサーを前記指針キャップ内に固定する指針台座とを備えた指針において、前記指針台座を前記指針キャップの開口側に配置した際、傾斜部が前記バランサーの下端辺に当接して前記バランサーを前記指針キャップの周壁側に押圧する押圧リブを前記指針台座に設けたものである。
【０００６】
また、前記指針台座が前記指示部側へ移動するのを規制する位置規制手段を設けたものである。
【０００７】
また、指示部および基部を有する指針本体と、前記基部が収納され後面側が開口された指針キャップと、前記指示部とは反対側の前記指針キャップ内に収納されるバランサーとを備えた指針において、前記基部を前記指針キャップ内に収納した際、傾斜部が前記バランサーの下端辺に当接して前記バランサーを前記指針キャップの周壁側に押圧する押圧リブを前記基部に設けたものである。
【０００８】
また、前記基部が前記指示部側へ移動するのを規制する位置規制手段を設けたものである。
【０００９】
また、前記バランサーは複数個重ねられたものである。
【発明の効果】
【００１０】
組み付け作業性に優れ、製造コストを低く抑えることが可能な指針を得ることができる。
【発明を実施するための最良の形態】
【００１１】
本発明を車両用の計器に用いられる指針を実施形態として説明する。図１〜図５は本発明の第１実施形態を示し、図１は、指針が適用された計器の部分断面図であり、図２は指針の分解斜視図である。図３は、指針キャップ内に指針本体とバランサーが配置（収納）された状態を示す裏面図であり、図４は指針台座の正面図である。図５は指針の要部断面図である。
【００１２】
計器は、硬質な回路基板１と、この回路基板１の裏面側に回路基板１と導通状態で装着され、回路基板１を貫通して前方に延びる回動軸２を有する計器本体３と、回動軸２に固着された指針４と、この指針４の背後に配置された表示板５と、回動軸２周囲の回路基板１上に実装され指針４を照明する光源としての指針用発光ダイオード６と、この指針用発光ダイオード６を囲むように表示板５と回路基板１との間に配置された円形の筒部７とを備えている。
【００１３】
指針４は、指示部８および基部９を有する指針本体１０と、基部９が収納され後面側が開口された指針キャップ１１と、指示部８とは反対側の指針キャップ１１内に収納される２個のバランサー１２，１２Ａと、指針キャップ１１内の開口側に配置され基部９およびバランサー１２，１２Ａを指針キャップ１１内に固定する指針台座１３とを備えている。
【００１４】
指針本体１０は、アクリル，ポリカーボネート等の光透過性である（例えば無色透明な）合成樹脂からなり、指示部８と指針キャップ１１内に収納される基部９とに大別される。基部９の一部と指示部８の表面側には発光面１４を有し、この発光面１４の表面には例えば赤色の箔がホットスタンプされることによって赤色着色層１５が形成され、指示部８の裏面には例えば白色の箔がホットスタンプされることによって白色着色層１６が形成されている。基部９は略円板状となっており、２個の孔１７が設けてある。
【００１５】
指針キャップ１１は、非透過性である（例えば黒色の）合成樹脂からなり、後面側が開口されたほぼ円形の逆カップ状で車両運転者の視点側に位置する上壁１８（図１中、上側）の一部には、指針本体１０の発光面１４が露出するように上壁スリット１９が設けてある。また、周壁２０の指示部８側にも側壁スリット２１が連設されており、この側壁スリット２１から指示部８が導出される。
【００１６】
また、指示部８とは反対側の指針キャップ１１内には２個（複数）のバランサー１２，１２Ａが重ねられて収納されるが、このバランサー１２，１２Ａの収納位置を定める第１のリブ２２と第２のリブ２３が指針キャップ１１に設けてある。第１のリブ２２は周壁２０の内側に設けてあり、第２のリブ２３は上壁１８から突設してある。また、上壁１８の指針台座１３側にはバランサー１２，１２Ａが載置される第３のリブ２４が部分的に設けてある。なお、第１のリブ２２と第２のリブ２３との間でバランサー１２，１２Ａが周方向に僅かに動く状態であっても良い。
【００１７】
また、指針キャップ１１の内側には、指針キャップ１１内に指針台座１３を配置した際、指針キャップ１１に対する指針台座１３の動きを規制する位置規制手段としての薄板状の規制リブ２５が上壁１８から突設してある。また、周壁２０の内側には指針台座１３を指針キャップ１１に係着するための係止突起２６（所謂フック）が２個設けてある。
【００１８】
指針台座１３は、光透過性である（例えば無色透明な）合成樹脂からなり、略円板状の台座部２７と、この台座部２７の裏面側に突設した取付部２８と、指針本体１０の基部９に設けられた孔１７に対応して設けられた２個のボス２９と、取付部２８より指針本体１０の指示部８側に設けられた受光部３０と、この受光部３０に対応した反射面３１を有している。受光部３０と反射面３１は台座部２７の前面側に２個設けてあるが１個でも良い。
【００１９】
また、バランサー１２，１２Ａより指針本体１０の指示部８側の台座部２７には押圧リブ３２が設けてある。この押圧リブ３２には指針キャップ１１内に指針本体１０の基部９とバランサー１２，１２Ａを収納した後、指針台座１３を指針キャップ１１内の開口側に配置した際、各バランサー１２，１２Ａの下端辺３３，３３Ａに当接する傾斜部３４が設けてある。傾斜部３４は先端側（指針キャップ１１の上壁１８側）がバランサー１２，１２Ａから離れるように傾斜して形成されており、下端辺３３，３３Ａとは点あるいは線で当接している。ここで言う下端辺３３，３３Ａとは、指針台座１３側かつ押圧リブ３２側の角部を指す。
【００２０】
また、指針キャップ１１に設けられた規制リブ２５に対応した箇所には、位置規制手段としての台座スリット３５が設けてあり、指針台座１３を指針キャップ１１内の開口側に配置した際、指針キャップ１１の規制リブ２５が台座スリット３５に挿入され、指針台座１３がバランサー１２，１２Ａとは反対側である指針本体１０の指示部８側へ移動するのが規制されるようになっている。
【００２１】
バランサー１２，１２Ａは、指針４のバランスを取るもので、黄銅や亜鉛などの金属系の材料からなる。このバランサー１２，１２Ａは、前述した様に指針キャップ１１に設けてある第１のリブ２２と第２のリブ２３との間の第３のリブ２４上に２個重ねられて配置される。
【００２２】
本実施形態に於ける指針４の組み付け方法について説明する。指針キャップ１１を逆さにした状態で上壁スリット１９および側壁スリット２１から指針本体１０の指示部８を導出し、基部９を指針キャップ１１内に収納する。次に、上述した様にバランサー１２，１２Ａを２個収納する。なお、バランサー１２，１２Ａを収納した後、指針本体１０（基部９）を収納しても良い。
【００２３】
次に、指針台座１３を指針キャップ１１内の開口側に配置する。台座部２７に設けられた台座スリット３５を指針キャップ１１の規制リブ２５に合わせるようにして指針台座１３を押し込む。すると、台座部２７に設けてあるボス２９の先端箇所が指針本体１０の基部９に設けられた孔１７に挿入されると共に、台座スリット３５に規制リブ２５が挿入された状態で、指針キャップ１１の周壁２０に設けられた２個の係止突起２６が台座部２７周縁の後面に係止されて指針台座１３が指針キャップ１１内に係着（配置）される。
【００２４】
その際、押圧リブ３２の傾斜部３４がバランサー１２，１２Ａの下端辺３３，３３Ａに当接して押圧される。すると、上壁１８側のバランサー１２は第３のリブ２４側に押圧されて第３のリブ２４に当接すると共に、周壁２０に設けられた第１のリブ２２側に押圧されて周壁２０側の上端辺３６が第１のリブ２２に当接する。また、台座部２７側のバランサー１２Ａはバランサー１２側に押圧されてバランサー１２に当接すると共に、周壁２０に設けられた第１のリブ２２側に押圧されて周壁２０側の上端辺３６Ａが第１のリブ２２に当接する。即ち、押圧リブ３２の傾斜部３４の傾斜角度と第１のリブ２２の傾斜角度はほぼ一致しており、バランサー１２，１２Ａは第３のリブ２４と第１のリブ２２と押圧リブ３２との間に固定されることになる（図５参照）。ここで上端辺３６，３６Ａとは、各バランサー１２，１２Ａの指針キャップ１１の周壁２０側かつ上壁１８側の角部を指す。
【００２５】
なお、第１のリブ２２および第３のリブ２４は必ずしも設ける必要はない。その場合、バランサー１２，１２Ａは指針キャップ１１の上壁１８に当接され、押圧リブ３２と指針キャップ１１の周壁２０との間に固定されることになる。その場合であっても、周壁２０の傾きと押圧リブ３２の傾斜部３４の傾きとはほぼ一致している。また、本実施形態に於いては指針台座１３の台座部２７がバランサー１２Ａに当接している。当接させることによって、指針キャップ１１内にバランサー１２，１２Ａを確実に固定できる。
【００２６】
この様に構成された指針４は、指針台座１３の取付部２８を計器本体３の回動軸２の先端側に圧入することによって計器本体３に固着され、所定の計測量に応じて指針４が回動し、指示部８の先端側が表示板５に施された表示部（図示せず）を指し示すようになっている。
【００２７】
そして、夜間など周囲が暗い時に、例えば白色で発光する指針用発光ダイオード６が点灯すると、指針用発光ダイオード６からの光は受光部３０に入射した後、反射面３１で反射して指示部８側に導かれて、裏面に形成された白色着色層１６で反射して指示部８表面側に向かい、発光面１４に形成された赤色着色層１５を透過して発光面１４が赤色で発光（照明）するようになる。
【００２８】
この様に、指針台座１３を指針キャップ１１の開口側に配置した際、傾斜部３４がバランサー１２，１２Ａの下端辺３３，３３Ａに当接してバランサー１２，１２Ａを指針キャップ１１の周壁２０側に押圧する押圧リブ３２を指針台座１３に設けたことにより、従来の様に接着や溶着することなく、バランサー１２，１２Ａを押圧リブ３２と指針キャップ１１に設けた第１のリブ２２との間に固定することができ、組み付け作業性に優れ、製造コストを低く抑えた指針を得ることができる。
【００２９】
また、指針台座１３の台座部２７に台座スリット３５を設け、この台座スリット３５に挿入される規制リブ２５を指針キャップ１１に設けたことにより、指針台座１３を指針キャップ１１内の開口側に配置すると、台座部２７に設けてある傾斜部３４がバランサー１２，１２Ａの下端辺３３，３３Ａに当接して、バランサー１２，１２Ａを指針キャップ１１の周壁２０側（第１のリブ２２側）に押圧することになるが、反撥力で指針台座１３が反バランサー１２，１２Ａ側（指針本体１０の指示部８側）へ移動するのを規制することができ、バランサー１２，１２Ａが確実に周壁２０側および上壁１８側に押圧された状態を保つことができる。
【００３０】
また、バランサー１２，１２Ａが２個（複数個）重ねられた状態であっても、傾斜部３４が各々のバランサー１２，１２Ａの下端辺３３，３３Ａに当接して、バランサー１２，１２Ａを押圧リブ３２と第１のリブ２２との間に固定することができる。
【００３１】
図６および図７は本発明の第２実施形態を示し、図６は指針の断面図であり、図７は指針の要部断面図である。本実施形態に於ける指針は、前記第１実施形態に於ける指針本体と指針台座とが一体となったものである。また、バランサーは１個とする。なお、前記第１実施形態と同一もしくは相当箇所については同一符号を付し、その詳細説明は省略する。
【００３２】
指針４は、指示部８および基部９を有する指針本体１０と、基部９が収納され後面側が開口された指針キャップ１１と、指示部８とは反対側の指針キャップ１１内に収納されるバランサー１２とを備えている。
【００３３】
指針本体１０は、光透過性である（例えば無色透明な）合成樹脂からなり、指示部８と基部９とに大別される。指示部８の表面側には発光面１４を有し、この発光面１４の表面には例えば赤色の箔がホットスタンプされることによって赤色着色層１５が形成され、指示部８の裏面には例えば白色の箔がホットスタンプされることによって白色着色層１６が形成されている。基部９は、略円板状の台座部２７と、受光部３０と、この受光部３０に入射した光を指示部８側に反射させる反射面３１と、台座部２７の裏面側に突設した取付部２８と、台座部２７の中央付近に設けられた押圧リブ３２とからなる。
【００３４】
押圧リブ３２には、指針キャップ１１内にバランサー１２を収納した後、指針本体１０の基部９側を指針キャップ１１内の開口側に配置した際、バランサー１２の下端辺３３に当接する傾斜部３４が設けてある。傾斜部３４は傾斜して形成されており、下端辺３３とは点あるいは線で当接している。
【００３５】
指針キャップ１１は、非透過性である（例えば黒色の）合成樹脂からなり、後面側が開口されたほぼ円形の逆カップ状で周壁２０の指示部８側には側壁スリット２１が設けてあり、この側壁スリット２１から指示部８が導出される。また、バランサー１２が収納される箇所には前記第１実施形態と同様に、バランサー１２の収納位置を定める第１のリブ２２および第２のリブ（図示せず）と、バランサー１２が載置される第３のリブ２４が部分的に設けてある。第１のリブ２２は周壁２０の内側に設けてあり、第２のリブおよび第３のリブ２４は上壁１８の台座部２７側に設けてある。
【００３６】
また、指針キャップ１１には前記第１実施形態と同様に、指針キャップ１１内に基部９を配置した際、指針キャップ１１に対する基部９（指針本体１０）の動きを規制する位置規制手段としての薄板状の規制リブと、台座部２７を指針キャップ１１に係着するための係止突起（所謂フック）が周壁２０の内側に２個設けてあるが、詳細な説明および図示は省略する。
【００３７】
なお、指針キャップ１１に設けられた規制リブに対応した指針本体１０の台座部２７箇所には、前記第１実施形態と同様に位置規制手段としての台座スリットが設けてあり、基部９を指針キャップ１１内の開口側に配置した際、指針キャップ１１の規制リブが台座スリットに挿入され、基部９（指針本体１０）がバランサー１２とは反対側である指針本体１０の指示部８側へ移動するのが規制されるようになっているが、図示は省略する。
【００３８】
本実施形態に於ける指針４の組み付け方法について説明する。前記第１実施形態と同様に、指針キャップ１１を逆さにした状態でバランサー１２を収納する。次に、基部９（指針本体１０）を指針キャップ１１内の開口側に配置する。台座部２７に設けられた台座スリットを指針キャップ１１の規制リブに合わせるようにして基部９を押し込む。すると、台座スリットに規制リブが挿入された状態で、指針キャップ１１の周壁２０に設けられた２個の係止突起が台座部２７周縁の後面に係止されて基部９が指針キャップ１１内に係着（配置）される。
【００３９】
その際、押圧リブ３２の傾斜部３４がバランサー１２の下端辺３３に当接して押圧される。すると、バランサー１２は第３のリブ２４側に押圧されて第３のリブ２４に当接すると共に、周壁２０に設けられた第１のリブ２２側に押圧されて周壁２０側の上端辺３６が第１のリブ２２に当接する。即ち、バランサー１２は第３のリブ２４と第１のリブ２２と押圧リブ３２との間に固定されることになる（図７参照）。
【００４０】
なお、第１のリブ２２および第３のリブ２４は必ずしも設ける必要はない。その場合、バランサー１２は指針キャップ１１の上壁１８に当接され、押圧リブ３２と指針キャップ１１の周壁２０との間に固定されることになる。また、本実施形態に於いては周壁２０の傾きと押圧リブ３２の傾斜部３４の傾きを必ずしも一致させる必要はない。また、本実施形態に於いては台座部２７がバランサー１２に当接している。当接させることによって、指針キャップ１１内にバランサー１２を確実に固定できる。
【００４１】
この様に構成された指針４は、図１に示した指針と同様に、取付部２８が計器本体３の回動軸２の先端側に圧入され、所定の計測量に応じて指針４が回動するようになっている。そして、夜間など周囲が暗い時に、指針用発光ダイオード６が点灯すると、指針用発光ダイオード６からの光は受光部３０に入射した後、反射面３１で反射して指示部８側に導かれて、発光面１４に形成された赤色着色層１５を透過して発光面１４が赤色で発光（照明）するようになる。
【００４２】
この様に、基部９を指針キャップ１１内に収納した際、傾斜部３４がバランサー１２の下端辺３３に当接してバランサー１２を指針キャップ１１の周壁２０側に押圧する押圧リブ３２を基部９の台座部２７に設けたことにより、バランサー１２を押圧リブ３２と指針キャップ１１に設けた第１のリブ２２との間に固定することができ、前記第１実施形態と同様に組み付け作業性に優れ、製造コストを低く抑えた指針を得ることができる。
【００４３】
また、指針本体１０の台座部２７に台座スリットを設け、この台座スリットに挿入される規制リブを指針キャップ１１に設けたことにより、指針本体１０の基部９を指針キャップ１１内の開口側に配置すると、台座部２７に設けてある傾斜部３４がバランサー１２の下端辺３３に当接して、バランサー１２を指針キャップ１１の周壁２０側（第１のリブ２２側）に押圧することになるが、反撥力で基部９が反バランサー１２側（指針本体１０の指示部８側）へ移動するのを規制することができ、バランサー１２が確実に周壁２０側および上壁１８側に押圧された状態を保つことができる。
【図面の簡単な説明】
【００４４】
【図１】本発明の第１実施形態を示す指針が適用された計器の部分断面図。
【図２】同実施形態を示す指針の分解斜視図。
【図３】同実施形態の指針キャップ内に指針本体とバランサーが配置された状態を示す裏面図。
【図４】同実施形態を示す指針台座の正面図。
【図５】同実施形態を示す指針の要部断面図。
【図６】本発明の第２実施形態を示す指針の断面図。
【図７】同実施形態を示す指針の要部断面図。
【符号の説明】
【００４５】
４  指針
８  指示部
９  基部
１０  指針本体
１１  指針キャップ
１２，１２Ａ  バランサー
１３  指針台座
１８  上壁
２０  周壁
２５  規制リブ（位置規制手段）
３２  押圧リブ
３３，３３Ａ  下端辺
３４  傾斜部
３５  台座スリット（位置規制手段）
【図１】
2008232901.tif 000003
【図２】
2008232901.tif 000004
【図３】
2008232901.tif 000005
【図４】
2008232901.tif 000006
【図５】
2008232901.tif 000007
【図６】
2008232901.tif 000008
【図７】
2008232901.tif 000009